(57)【要約】【課題】浴槽パンの設置高さを低くすることにより、浴槽の設置高さを低くして浴槽の跨ぎ込み高さを低くして使い勝手を向上する。【解決手段】浴槽６と浴槽パン７の底部８上面に浴槽パン７を補強する上向きの補強リブ１０を配設し、浴槽６の排水部材１４は上向き補強リブ９間に配置することにより、浴槽パン７の設置高さと浴槽６の設置高さがが低くでき、浴槽６の跨ぎ込み高さが低くなるので使い勝手を向上することができる。【選択図】図１
2006263147.tif 000002
【特許請求の範囲】
【請求項１】
浴槽と前記浴槽を載置する浴槽パンを備え、前記浴槽パンの底部上面に前記浴槽パンを補強する補強リブを上向きに配設し、前記補強リブの間に前記浴槽の排水部材を配置した浴室装置。
【請求項２】
浴槽パンは底部に排水勾配を有し、前記浴槽パンを補強する補強リブを前記排水勾配方向に配設した請求項１に記載の浴室装置。
【請求項３】
浴槽を前記補強リブの上に載置した請求項１または２に記載の浴室装置。
【請求項４】
補強リブの上面を水平とした請求項１〜３のいずれか１項に記載の浴室装置。
【請求項５】
浴槽パンの下面に前記補強リブと直交した裏面補強リブを配設した請求項１〜５のいずれか１項に記載の浴室装置。
【請求項６】
浴槽の底裏面に溝部を設け、補強リブと前記溝部を嵌合して浴槽を載置した請求項１〜５のいずれか１項に記載の浴室装置
【請求項７】
補強リブと同じ高さにボスを配設し、前記ボス内に浴槽パンの高さ調整脚を設け、浴槽パン上面より高さ調整が可能とした１〜６のいずれか１項に記載の浴室装置。
【発明の詳細な説明】
【技術分野】
【０００１】
本発明は浴槽を載置する浴槽パンを備えた浴室装置に関するものである。
【背景技術】
【０００２】
従来、この種の浴室装置は浴槽パンの浴槽載置面の下面に互いに交差する補強リブを形成している（例えば、特許文献１参照）。
【０００３】
図５は、特許文献１に記載された従来の浴室浴装置の防水パンのリブ構造を示すものである。図５に示すように、防水パン1は、浴槽載置面２と、洗い場床面３と、該床面の下面に互いに交差する補強リブ４と、洗い場床面の補強リブの交点を中心とする部分のリブ高さを他の部分のリブ高さよりも高くした延長部５から構成されている。
【特許文献１】実開昭６３−５０９６５号公報
【発明の開示】
【発明が解決しようとする課題】
【０００４】
しかしながら、前記従来の構成では、防水パンを補強する補強リブが浴槽載置面の下面に設けてあるため、浴槽を満水して入浴した場合でも問題なく重量を支える浴槽載置部の強度を確保するためには、補強リブの高さを高くする必要がありまた、設置面と補強リブ間は排水、配管スペースが必要であり、補強リブが高くなると防水パンの設置高さが高くなり、特に集合住宅や階層に設置する場合、建築側床面との段差が大きくなり、不安全で使い勝手が悪くなるという課題があった。また、浴槽への入浴時、洗い場から浴槽への跨ぎ込み高さが高いと不安全で使い勝手が悪くなるため跨ぎ込み高さを低くする必要がある。跨ぎ込み高さを小さくするには浴槽載置面と洗い場床面との段差を大きくとる必要があるが、従来の構成では防水パンの設置高さを低くすることができないため、浴槽載置面を低く設置することができない。また洗い場床面との段差を大きく取ろうとすると、洗い場床面の設置高さが高くなり、建築側床面との段差が大きくなるという課題を有していた。また、リブ高さが高くなると防水パンをＳＭＣ等で成形する際リブ部への樹脂の流れが悪くなり、欠けや巣等の成形不良が発生しやすく、補強リブの強度不足が生じるという課題も有していた。
【０００５】
本発明は、前記従来の課題を解決するもので、浴槽パンの設置高さを低く設置できるようにして、浴槽の跨ぎ込み高さ及び建築側床面との段差を小さくて安全で使い勝手の良い、またＳＭＣ等の成形性も良く強度を確保できる浴室装置を提供することを目的とする。
【課題を解決するための手段】
【０００６】
前記従来の課題を解決するために、本発明の浴室装置は、浴槽と浴槽を載置する浴槽パンを備え、浴槽パン底部上面に浴槽パンを補強する補強リブを上向きに配設し、補強リブ間に浴槽の排水部材を配置したものである。
【０００７】
これによって、浴槽パン下面に設けるリブの高さを低くできるため、浴槽パンの設置高さが低くでき、補強リブを上向きにも配設しているため浴槽パンの強度が確保できまた、浴槽の排水部材を上向きに設けたリブ間に配設しているため、浴槽パンからの浴槽の上面高さを高くする必要がないため、浴槽への跨ぎ込み高さが低くなり、使い勝手がよくなる。また、上向きと下向きのリブ高さのバランスにより、リブ高さを高くしなくても強度が確保できるため、ＳＭＣ等による成形性もよくなり、強度を確保した品質のよい浴室装置となる。
【発明の効果】
【０００８】
本発明の浴室装置は、浴槽パン底部上面に浴槽パンを補強する補強リブを上向きに配設しており、これによって、浴槽パン下面に設けるリブの高さを低くできるため、浴槽パンの設置高さを低くでき、上向きと下向きの補強リブにより浴槽パンの強度が確保できまた、浴槽の排水部材を上向きに設けたリブ間に配設しているため、リブと干渉することがなく、浴槽パンからの浴槽の上面高さを高くする必要がないため、浴槽への跨ぎ込み高さを低くすることができ、使い勝手がよくなる。また、上向きと下向きのリブ高さのバランスにより、リブ高さを高くしなくても強度が確保できるため、ＳＭＣ等による成形性もよくなり、強度を確保した品質も安定させることができる。
【発明を実施するための最良の形態】
【０００９】
第１の発明は浴槽と浴槽を載置する浴槽パンを備え、浴槽パンの底部上面に浴槽パンを補強する補強リブを上向きに配設し、補強リブの間に前記浴槽の排水部材を配置したものである。
【００１０】
これによって、浴槽パンの下面に設けるリブの高さを低くできるため、浴槽パンの設置高さを低くでき、浴槽パンの強度も確保できる。また、浴槽の排水部材を上向きに設けたリブの間に配設しているため補強リブと干渉することがなく、浴槽パンからの浴槽の上面高さを高くする必要がないため、浴槽への跨ぎ込み高さを低することができるため、使い勝手がよくなる。また、上向きと下向きのリブ高さのバランスにより、リブ高さを高くしなくても強度が確保できるため、ＳＭＣ等による成形性もよくなり、安定して強度を確保することができる。
【００１１】
第２の発明は、浴槽パンの底部に排水勾配を有し、浴槽パンを補強する浴槽パン上面に設けた補強リブを排水勾配方向に配設することにより、浴槽パンに流れ込んだ水をスムースに排水することができる。
【００１２】
第３の発明は、浴槽を補強リブの上に載置することにより、浴槽自体に浴槽を支える脚部材を設ける必要がなくなり、安価で設置もしやすくなる。
【００１３】
第4の発明は、第３の発明の補強リブの上面を水平とした、もので浴槽の設置をより容易にすることができる。
【００１４】
第５の発明は第１〜４の発明の浴槽パンの下面に上面に設けた補強リブと直交した下面補強リブを配設したものであり、浴槽パンの強度を上げることができる。
【００１５】
第６の発明は第１〜５の発明の浴槽の底裏面に溝部を設け、補強リブと溝部を嵌合して浴槽を載置したものであり浴槽の位置決めと固定が確実にでき、設置を容易にすることができる。
【００１６】
第７の発明は、特に、第１〜６のいずれか１つの発明の浴室装置の補強リブと同じ高さにボスを配設し、ボス内に浴槽パンの高さ調整脚を設け、浴槽パン上面より高さ調整が可能としたもので、浴槽パンの設置高さ調整を浴槽パンの上から作業ができ、設置作業を容易にすることができる。
【００１７】
以下、本発明の実施の形態について、図面を参照しながら説明する。なお、この実施の形態によって本発明が限定されるものではない。
【００１８】
（実施の形態１）
図１は本発明の第１の実施の形態における浴室装置を使用した浴室の断面図を示すものであり、図２は本発明の実施の形態１における浴室装置を示す断面図であり、図３は本実施の形態における別の構成による浴槽パンの高さ調整脚の取付部を示す要部断面図を示すものである。
【００１９】
図に示すように、浴槽６を載置する浴槽パン７の底部８の上面に浴槽パン７を補強する上向きの補強リブ９を配設しており、下面には下向きの裏面リブ１０が配置されている。また下向きの裏面リブ１０は上向きの補強リブ９と平行方向に配設した平行裏面リブ１０aと補強リブ９と直交する方向に配設した直交裏面リブ１０ｂとからなっている。
【００２０】
また、浴槽パン７の底部８の上面は浴槽パン７の排水部方向に排水勾配を設けており、上向きの補強リブ９は排水勾配方向と同じ方向に設けている。
【００２１】
浴槽パン７の下面には浴槽パンを支え、高さ調整や水平出しをする高さ調整脚１１を複数箇所に備えており、設置時建築側との接続高さ調整や水平出しを行う構成としている。
【００２２】
浴槽パン７に隣接して洗い場床面１２が設置してあり、洗い場床面１２より跨ぎ込み部１３をまたいで浴槽６に入り入浴することが可能な構成となっている。
【００２３】
浴槽パン７の補強リブ９の上面は水平に形成し、浴槽６の排水部材１４を補強リブ９の間に配置し、補強リブ９上に浴槽６を載置する構成としている。また、補強リブ９と裏面リブ１０の高さは浴槽パンの強度及び、浴槽設置高さ等によって決まり、適切な高さに設定している。
【００２４】
以上のように構成された浴室装置について、以下その動作、作用を説明する。
【００２５】
まず、浴槽パン７を浴室の所定の位置に設置し、高さ調整脚１１を調整することにより浴槽パン７の水平を調整する。このとき補強リブ９の上面が水平になるように調整することにより、浴槽パン７の底部８の排水勾配は所定の勾配が確保できる。
【００２６】
浴槽パン７の所定位置に排水部材１４を設置後、補強リブ９の上面の所定位置に浴槽６を載置することにより、浴槽６は水平に設置することができる。
【００２７】
上記のように浴槽パン７と浴槽６を設置すると、浴槽６は水平に設置できるとともに、浴槽パン７の底部8は排水口方向に排水勾配が設けてあり、補強リブ９は排水勾配方向に配設する構成としているので、浴槽パン６に流れ込んだ水はスムーズに排水勾配に沿って補強リブの間を通って排水される。
【００２８】
上記のように、浴槽パン６の底部８の上面には上向きの補強リブ９が配設されて補強しているため、浴槽パン６の底部８の下面に下向きに設けた裏面リブ１０の高さを従来より低くすることができるため、その分浴槽パン７の設置高さを低く設置することができる。
【００２９】
また浴槽６に設けた排水部材１４は上向きの補強リブ９間に配置するように浴槽パン７上に載置しているため、浴槽パンの設置高さが低くなった分浴槽の上縁設置高さも低くすることができるため、浴槽への跨ぎ込み高さも低くなる。また、同時に洗い場側の設置高さも低く設置できるため、建築側の高さに合わせた高さ調整が容易となり、特に、集合住宅や階層に設置する場合、建築側の床高さが低いため発生する、段差も少なくすることができ、安全で使い勝手のよい浴室装置を提供することができる。
【００３０】
また、浴槽パン７の底部の両面にリブを配設しているため個々のリブの高さを低くすることができ、ＳＭＣ成形等により作成した場合、補強リブの成形性がよくなり安定した強度と品質を確保することもできる。
【００３１】
また、浴槽６を直接補強リブ９上に載置するため、浴槽６自体に浴槽を支える脚部材を設ける必要がなくなり、安価で設置もしやすい浴室装置を提供することができ、しかも、補強リブ９の上面を水平に構成しているため、浴槽６を補強リブ９上に載置しただけで浴槽の水平及び高さ調整作業が容易な浴室装置を提供することができる。
【００３２】
そして、浴槽パン下面に設けた下向きの補強リブ１０は上面に設けた補強リブ９と直交する方向に補強リブ９ｂを配設することにより、浴槽パン７の強度を向上させることができる。
【００３３】
なお、図１、図２に示した高さ調整脚１１の設置方法に替えて、図４に示すように浴槽パン７の底部８上面に補強リブ９と同じ高さにボス１５を設け、ボス内に浴槽パンの高さ調整脚１６とナット１７とを設けて、高さ調節脚１６を回転させることで浴槽パンの高さ調整ができるように構成し、高さ調節脚１６の上部にはスリット部１６ａを設け、浴槽パン７の上面よりスリット部１６ａを利用してマイナスドラーバー等を用いて高さ調整脚１６を回転させて、浴槽パン７の高さ調整が可能とした構成とすることにより、浴槽パン上面より高さ調整が可能であるため、浴槽パンの設置高さ調整作業をより容易にすることができる。
【００３４】
また、本実施の形態においては、裏面リブを補強リブと直交する方向と同方向に設けたがこれに限るものではなく、一方向のみ、または斜めに交差する方向に設置しても良く、また裏面リブを設置しなくてもよい。
【００３５】
（実施の形態２）
図は本発明の第２の実施の形態浴室装置の断面図に示すものであり、本実施の形態が第１の実施の形態と異なっている点は、浴槽１８の底裏面１９に溝部２０を設け、補強リブ９と前記溝部２０を嵌合する構成とすることにより、浴槽１８の位置決めと固定が確実にでき、設置をより容易にすることができる。
【産業上の利用可能性】
【００３６】
以上のように、本発明にかかる浴室装置は補強リブ高さを低くしても強度が確保でき、浴槽パンの高さが低く設置でき、浴槽の設置及び浴槽パンの設置も容易に行うものであるので、トイレやシャワー等の設備ユニットの用途にも適用できる。
【図面の簡単な説明】
【００３７】
【図１】本発明の実施の形態１における浴室装置を使用した浴室の断面図
【図２】本発明の実施の形態１における浴室装置の断面図
【図３】本発明の実施の形態１における浴室装置の別の構成の要部断面図
【図４】本発明の実施の形態２における浴室装置の断面図
【図５】従来の浴室装置の断面図
【符号の説明】
【００３８】
６、１８  浴槽
７  浴槽パン
８  底部
９  補強リブ
１０  裏面リブ
１１、１６  高さ調整脚
１４  排水部材
１５  ボス
２０  溝部
【図１】
2006263147.tif 000003
【図２】
2006263147.tif 000004
【図３】
2006263147.tif 000005
【図４】
2006263147.tif 000006
【図５】
2006263147.tif 000007